(57)【要約】【課題】  光ディスク等の記録媒体にオリジナルから不正コピーされたデータの使用を確実に防止することで、不正コピーに対して適正な対応を取れるようにする。【解決手段】  記録再生装置２１にマウントされた場合に前記記録再生装置に接続されたホスト機２２にオリジナル判定のための特定領域に対して書き込み動作を実行させ、オリジナル判定のための前記特定領域が書き込み動作後、物理的に再生不可なディスク構造を有すると共に、リードインエリアとリードアウトエリアとに挟まれたプログラムエリアからなるセッションを複数有するマルチセッション方式でクローズされていない追記可能なデータ構造で記録されており、前記追記可能な領域は、物理的に記録・再生可能なディスク構造を有する。【選択図】        図２
2005196925.tif 000002
【特許請求の範囲】
【請求項１】
記録再生装置にマウントされた場合に前記記録再生装置に接続されたホスト機にオリジナル判定のための特定領域に対して書き込み動作を実行させ、この書き込み動作後、再生不可の状態を検知した場合にはオリジナル記録媒体と判定してその再生用データ領域の再生を可能とする一方、前記特定領域に対しての書き込み動作後、再生可能であった場合にはコピー媒体と判定してその再生用データ領域の再生を不可とする処理を実行させるオリジナル／コピー判定対応処理用アプリケーションプログラムが記録されている記録媒体において、
オリジナル判定のための前記特定領域が書き込み動作後、物理的に再生不可能なディスク構造を有すると共に、リードインエリアとリードアウトエリアとに挟まれたプログラムエリアからなるセッションを複数有するマルチセッション方式にてクローズされていない追記可能なデータ構造で記録され、前記追記可能な領域は、物理的に記録・再生可能なディスク構造を有することを特徴とする記録媒体。
【請求項２】
オリジナル／コピー判定対応処理用アプリケーションプログラムが第１セッションに記録されており、オリジナル判定のための前記特定領域が、第２セッションであることを特徴とする請求項１記載の記録媒体。
【請求項３】
第１セッションは、透明樹脂基板にマスタリングにより形成され半径方向に情報に基づき変調されてウォブリングされたプリピット上に記録層、反射層を順次設けてあり、オリジナル判定のための前記特定領域及び前記追記可能な領域は、前記透明樹脂基板にマスタリングにより形成され半径方向に情報に基づき変調されてウォブリングされたプリグルーブ上に、前記記録層、反射層を順次設けてあり、前記特定領域のグルーブ形状は、記録後再生不可となる記録信号品質になる様に設定されていることを特徴とする請求項２記載の記録媒体。
【請求項４】
請求項１ないし３の何れか記載のオリジナル記録媒体またはそのコピー媒体が前記記録再生装置にマウントされた場合に、これらの媒体に記録されている前記オリジナル／コピー判定対応処理用アプリケーションプログラムに従い、前記記録再生装置に接続された前記ホスト機により、当該媒体中の特定領域が未記録状態か否か判断する判断工程と、未記録状態の場合は前記特定領域に対して書き込み動作を実行させる実行工程と、この書き込み動作後及び前記特定領域が未記録状態でなかった場合は該特定領域の読み込みを行い正常再生が可能か否かを検知する検知工程と、正常再生が否と検知した場合には当該媒体をオリジナル記録媒体と判定してその再生用データ領域の再生を可能とする再生許可工程と、正常再生が可能であった場合は当該媒体をコピー媒体と判定してその再生用データ領域の再生を不可とする再生禁止工程とを有することを特徴とする記録再生方法。
【請求項５】
記録再生装置とホスト機とが接続された記録再生システムであって、前記ホスト機は、請求項１ないし３の何れか記載のオリジナル記録媒体またはコピー媒体が前記記録再生装置にマウントされた場合に、これらの媒体に記録されている前記オリジナル／コピー判定対応処理用アプリケーションプログラムを実行することを特徴とする記録再生システム。
【発明の詳細な説明】
【技術分野】
【０００１】
本発明は、ＣＤ−ＲＯＭ、ＤＶＤ−ＲＯＭ等の（オリジナル）記録媒体、その不正コピー品の不正使用を防止可能とした記録再生方法及び記録再生システムに関する。
【背景技術】
【０００２】
情報を記録する記録媒体として、ＣＤ−ＲＯＭ、ＤＶＤ−ＲＯＭ等の光ディスクが広く普及している。これらの光ディスクは、再生専用光ディスクであり、工場で多量に生産され、オリジナル記録媒体としてユーザに提供される。このような再生専用光ディスクは、原盤露光装置で原盤上に形成されたピット列をスタンパに転写（「マスタリング」と呼ばれる）し、そのスタンパを型として成形基板に転写し、その成形基板に反射膜、保護膜等を付与することにより、ピットとして時間情報（ヘッダアドレス：物理アドレス）と共にデジタルデータを記録したデータ構造を備えており、そのピットに記録された時間情報に基づいてデータを再生している。
一方、近年では、再生のみならず記録可能な光ディスクとして、ＣＤ−Ｒ、ＣＤ−ＲＷ、ＤＶＤ＋Ｒ、ＤＶＤ＋ＲＷディスク等が広く普及している。これらの記録可能な光ディスクでは、全面に時間情報が記録されたグルーブが形成されており、そのグルーブが形成された成形基板の上に記録膜（ＣＤ−Ｒ、ＤＶＤ＋Ｒでは色素等、ＣＤ−ＲＷ、ＤＶＤ＋ＲＷでは相変化膜）、反射膜、保護膜等が形成されており、記録された時間情報に一致するようにＣＤ−Ｒ／ＲＷ、ＤＶＤ＋Ｒ／ＲＷライタでマークを書き込むことにより、ヘッダアドレス（時間情報）とデータとを記録する構造になっている。
このような媒体の普及に伴い、記録可能なＣＤ−Ｒ／ＲＷライタあるいはＣＤ−Ｒ／ＲＷ、ＤＶＤ±Ｒ／ＲＷライタは再生専用のＣＤ−ＲＯＭプレーヤにとって代わり、ＰＣ（ホスト機）に標準搭載されるようになり、広く普及している。関連する技術としては、特許文献１、２に示す文献が知られている。
【特許文献１】特開平０６−３０２０９２号公報
【特許文献２】特開平０９−２７４７７４号公報
【発明の開示】
【発明が解決しようとする課題】
【０００３】
ここに、上述したような再生専用光ディスク＝オリジナルディスクに記録されている情報はデジタル情報であり、コピーしても劣化しないことと、記録可能なＣＤ−Ｒ／ＲＷライタあるいはＣＤ−Ｒ／ＲＷ、ＤＶＤ±Ｒ／ＲＷライタの普及に伴い、再生専用光ディスク等のオリジナル記録媒体に記録されたデータやアプリケーションプログラム等の情報が不正にコピーして使用されるという問題が生じている。
このような不正コピーの防止に関しては、例えば、特許文献１によれば、ドライブにマウントされた媒体が再生専用か、書換え可能かを判別し、再生専用媒体（オリジナル）と判別された場合はデータの再生を可とし、書換え可能媒体と判断された場合は再生を不可としており、媒体の識別方法として媒体に使われるカートリッジ形状の違い、あるいは媒体からの反射率の違いを用いている。
この場合は、カートリッジを用いない媒体に関しては適用できず、また、媒体からの反射率の違いに関しては、オリジナルＣＤとコピーＣＤ−ＲＷとに着目しているが、オリジナルＣＤとコピーＣＤ−Ｒの媒体間では反射率は略同じであり、コピーＣＤ−Ｒの場合には適用できず、不正コピーに対する対応策として不十分である。
また、特許文献２によれば、ＩＤファイルの書換えができるか否かでオリジナルかコピー（書換え可能媒体）か、を判定するようにしている。しかし、コピーされた記録可能媒体（ＣＤ―Ｒ等の１回のみ記録可能な媒体）に適用した場合には、ＩＤが既に記録（コピー）されているので、書換え動作が正常終了せず、オリジナルと判定されてしまう可能性があり、不正コピーに対する対応策として不十分である。
本発明の目的は、光ディスク等の記録媒体にオリジナルから不正コピーされたデータの使用を確実に防止することで、不正コピーに対して適正な対応を取れるようにすることである。
【課題を解決するための手段】
【０００４】
前記目的を達成するために、請求項１記載の発明は、記録再生装置にマウントされた場合に前記記録再生装置に接続されたホスト機にオリジナル判定のための特定領域に対して書き込み動作を実行させ、この書き込み動作後、再生不可の状態を検知した場合にはオリジナル記録媒体と判定してその再生用データ領域の再生を可能とする一方、前記特定領域に対しての書き込み動作後、再生可能であった場合にはコピー媒体と判定してその再生用データ領域の再生を不可とする処理を実行させるオリジナル／コピー判定対応処理用アプリケーションプログラムが記録されている記録媒体において、オリジナル判定のための前記特定領域が書き込み動作後、物理的に再生不可能なディスク構造を有すると共に、リードインエリアとリードアウトエリアとに挟まれたプログラムエリアからなるセッションを複数有するマルチセッション方式にてクローズされていない追記可能なデータ構造で記録され、前記追記可能な領域は、物理的に記録・再生可能なディスク構造を有する記録媒体を最も主要な特徴とする。
請求項２記載の発明は、オリジナル／コピー判定対応処理用アプリケーションプログラムが第１セッションに記録されており、オリジナル判定のための前記特定領域が、第２セッションである請求項１記載の記録媒体を主要な特徴とする。
請求項３記載の発明は、第１セッションは、透明樹脂基板にマスタリングにより形成され半径方向に情報に基づき変調されてウォブリングされたプリピット上に記録層、反射層を順次設けてあり、オリジナル判定のための前記特定領域及び前記追記可能な領域は、前記透明樹脂基板にマスタリングにより形成され半径方向に情報に基づき変調されてウォブリングされたプリグルーブ上に、前記記録層、反射層を順次設けてあり、前記特定領域のグルーブ形状は、記録後再生不可となる記録信号品質になる様に設定されている請求項２記載の記録媒体を主要な特徴とする。
【０００５】
請求項４記載の発明は、請求項１ないし３の何れか記載のオリジナル記録媒体またはそのコピー媒体が前記記録再生装置にマウントされた場合に、これらの媒体に記録されている前記オリジナル／コピー判定対応処理用アプリケーションプログラムに従い、前記記録再生装置に接続された前記ホスト機により、当該媒体中の特定領域が未記録状態か否か判断する判断工程と、未記録状態の場合は前記特定領域に対して書き込み動作を実行させる実行工程と、この書き込み動作後及び前記特定領域が未記録状態でなかった場合は該特定領域の読み込みを行い、正常再生が可能か否かを検知する検知工程と、正常再生が否と検知した場合には当該媒体をオリジナル記録媒体と判定してその再生用データ領域の再生を可能とする再生許可工程と、正常再生が可能であった場合は当該媒体をコピー媒体と判定してその再生用データ領域の再生を不可とする再生禁止工程とを有する記録再生方法を最も主要な特徴とする。
請求項５記載の発明は、記録再生装置とホスト機とが接続された記録再生システムであって、前記ホスト機は、請求項１ないし３の何れか記載のオリジナル記録媒体またはコピー媒体が前記記録再生装置にマウントされた場合に、これらの媒体に記録されている前記オリジナル／コピー判定対応処理用アプリケーションプログラムを実行する記録再生システムを最も主要な特徴とする。
【発明の効果】
【０００６】
本発明の記録媒体は、記録再生装置にマウントされた記録媒体につき、記録再生装置に接続されたホスト機にて記録媒体に記録されたオリジナル／コピー判定対応処理用アプリケーションプログラムを実行し、オリジナル判定のための特定領域に対して書き込みと再生を行い、追記可能なデータ構造であっても物理的に再生不可なディスク構造の判定にて、真贋を判定することにより、コピーの場合のディスク構造とは異なり、不正コピーのデータ使用を防止することができる。
また本発明の記録再生方法は、ホスト機による媒体に記録されているオリジナル／コピー判定対応処理用アプリケーションプログラムに従い、特定領域の書き込み動作後及び前記特定領域が未記録状態でなかった場合は正常再生が可能か否かを検知する検知して正常再生が否を検知した場合には当該媒体をオリジナル記録媒体と判定し再生を可能とし、正常再生が可能であった場合は当該媒体をコピー媒体と判定してその再生用データ領域の再生を不可とすることにより、非正常再生にて正常媒体を検知することで、不正コピーに対して適正な対応を取ることができる。
また本発明の記録再生システムは、記録再生装置とホスト機とが接続され、前記ホスト機は、オリジナル／コピー判定対応処理用アプリケーションプログラムを実行するのみにて、オリジナルから不正コピーされたデータの使用を確実に防止し、不正コピーに対して適正な対応を取ることができる。
【発明を実施するための最良の形態】
【０００７】
本発明を実施するための最良の形態を図面に基づいて説明する。
まず、本実施の形態に用いられる記録再生装置である光ディスク装置（ドライブ）の構成例について図１を参照して説明する。
本実施の形態は、光ディスク（記録媒体）１として、ＣＤ−ＲＯＭ等の再生専用光ディスクの他に、一度だけ書き込み可能でＣＤフォーマットに準拠した記録可能なＣＤ−Ｒ（CD-Recordable）なる追記型の光ディスクやＣＤフォーマットに準拠した記録可能なＣＤ−ＲＷ（CD-ReWritable）なる書換え型の光ディスクを対象とする光ディスク装置（記録再生装置）への適用例を示す。
図１を参照して光ディスク装置の概略構成及び動作について説明する。まず、ＣＤ系ディスクではディスク基板上の色素材料あるいは相変化材料にデータで変調されたレーザ光を照射して、ピットあるいはマークを形成し、これらにレーザ光を当てて、その反射光の変化でデータを読み取る。このデータ列はレコードのようにディスク基板上に螺旋状に並べられている。この螺旋状に配された線をトラックと呼んでおり、隣り合うトラック間の距離は１．６μｍである。
このような光ディスク１は駆動手段としてのスピンドルモータ２によって回転駆動される。スピンドルモータ２はモータドライバ３とサーボ手段４とによって線速度一定（ＣＬＶ）または回転数一定（ＣＡＶ）となるように制御される。その線速度は段階的に変更が可能である。光ピックアップ５は後述する半導体レーザ、光学系、フォーカシングアクチュエータ、トラッキングアクチュエータ、受光器、ポジションセンサ等を内蔵しており、レーザ光を光ディスク１の記録面に照射する。
【０００８】
光ピックアップ５は図示しないシークモータによりスレッジ方向（ディスク半径方向）に移動可能とされている。これらのフォーカシングアクチュエータ、トラッキングアクチュエータ、シークモータは受光器やポジションセンサから得られる信号に基づきモータドライバ３とサーボ手段４とによってレーザスポットを光ディスク１上の目的の場所に位置させるように制御する。
データ再生時には、光ピックアップ５で得られた再生信号をリードアンプ６で増幅してイコライザ処理や２値化（デジタル化）処理した後、ＣＤデコーダ７に入力してＥＦＭ復調する。即ち、ＥＦＭ信号は、光学的に再生または記録しやすいように８ビットデータを１４ビットデータに変調したデータであり、ＥＦＭ復調されたデータはデインタリーブ（並べ替え直し処理）とエラー訂正の処理を行う。さらに、そのデインタリーブとエラー訂正の処理後のデータをＣＤ−ＲＯＭデコーダ８に入力してデータの信頼性を高めるためのエラー訂正処理を行う。
その後、ＣＤ−ＲＯＭデコーダ８で処理したデータをバッファマネージャ９によって一旦バッファＲＡＭ１０に蓄積し、セクタデータとして揃ったときにＡＴＡＰＩやＳＣＳＩといったインタフェース１１によってホスト側へ一気に転送する。また、音楽データの場合、ＣＤデコーダ７から出力されるデータをＤ／Ａコンバータ１２に入力してアナログのオーディオ信号を取り出す。
一方、データ記録時には、ＡＴＡＰＩやＳＣＳＩといったインタフェース１１によってホストから転送されたデータを受信すると、そのデータをバッファマネージャ９によって一旦バッファＲＡＭ１０に蓄積する。バッファＲＡＭ１０にある程度のデータが溜まったときに記録を開始するが、その前にレーザスポットを書き込み開始地点に位置させる。
その書き込み開始地点はトラック（プリグルーブ）の蛇行によって予め光ディスク１に刻まれているウォブル信号であるＡＴＩＰ（Absolute Time In Pre-groove）信号によって求められる。ＡＴＩＰ信号は光ディスク上の絶対番地を示す時間情報であり、ＡＴＩＰデコーダ１３によってＡＴＩＰ信号の情報を取り出すとともに、ＡＴＩＰエラーを検出してＡＴＩＰ信号の検出エラー率を計測する。
また、ＡＴＩＰデコーダ１３が生成する同期信号はＣＤエンコーダ１４に入力されて正確な位置でのデータの書き出しを可能にしている。バッファＲＡＭ１０のデータは、ＣＤ−ＲＯＭエンコーダ１５やＣＤエンコーダ１４でエラー訂正コードの付加やインタリーブ（並べ替え）を行った後、ＥＦＭ変調され、レーザコントロール回路１６、光ピックアップ５を介して光ディスク１に記録される。このような光ディスク装置は、上述の各部の動作を制御するためのＣＰＵ１７、ＲＯＭ１８及びＲＡＭ１９からなるマイクロコンピュータを備えている。
【０００９】
図２は光ディスク装置と接続されるホスト機の構成図である。光ディスク装置２１は、例えば、図２に示すように、ＰＣ等のホスト機２２に接続されて、記録再生システム２３を構成し、当該記録再生システム２３はホスト機２２による制御の下に活用される。
当該記録再生システム２３におけるホスト機２２は、主制御装置３１、インタフェース３２、記録装置（ＨＤＤ）３３、入力装置３４、表示装置３５などを備えている。
主制御装置３１は、マイクロコンピュータ、メインメモリ（何れも不図示）などを含んで構成され、ホスト機２２全体を制御する。インタフェース３２は、光ディスク装置２１との双方向の通信インタフェースであり、ＡＴＡＰＩ及びＳＣＳＩ等の標準インタフェースに準拠している。
インタフェース３２は光ディスク装置２１のインタフェース１１と接続されている。なお、各インタフェース１１、３２間の接続形態は、通信ケーブル（例えばＳＣＳＩケーブル）などの通信線を用いたケーブル接続だけでなく、赤外線などを利用したワイヤレス接続であっても良い。
記録装置３３には、主制御装置３１のマイクロコンピュータで解読可能なコードで記述されたプログラムが格納されている。なお、当該情報処理装置（ホスト機２２）の駆動電源がオン状態になると、前記プログラムは主制御装置３１のメインメモリにロードされる。
【００１０】
入力装置３４は、例えばキーボード、マウス及びポインティングデバイスなどのうち少なくとも１つの入力媒体（図示省略）を備え、ユーザから入力された各種情報を主制御装置３１に通知する。なお、入力媒体からの情報はワイヤレス方式で入力されても良い。
表示装置３５は、例えばＣＲＴ、液晶ディスプレイ（ＬＣＤ）及びプラズマディスプレイパネル（ＰＤＰ）などの表示部（図示省略）を備え、主制御装置２４からの各種情報を表示する。また、入力装置３４と表示装置３５とが一体化したものとして、例えばタッチパネル付きＣＲＴなどがある。
また、ホスト機２２はオペレーティングシステム（以下「ＯＳ」という）を搭載している。そして、ホスト機２２を構成する全てのデバイスはＯＳによって管理されている。
このような記録再生システム２３で使用可能なオリジナル記録媒体１ｏの構成例について説明する。まず、本実施形態のオリジナル記録媒体１ｏのデータ構造例を説明する。本実施形態では、例えばオレンジブック規格で規定されるＣＤ−Ｒ／ＲＷのマルチセッション方式で必要なデータが記録されている。
即ち、マルチセッション方式は、リードインエリアとリードアウトエリアとに挟まれたプログラムエリアからなる単位を１セッションとし、このようなセッションをディスク半径方向に複数有する方式である。
【００１１】
本実施の形態では、マスタリングの段階で、例えば第１セッションに動作制御例を後述する真贋判定アプリケーションプログラム（オリジナル／コピー判定対応処理用アプリケーションプログラム）が記録され、第２セッションにオリジナル判定のための特定領域が記録不可能なディスク構造を持って配置され、第３セッション以降に当該オリジナル記録媒体１ｏの目的とする本来の再生用データが記録されている。さらにマスタリングされた再生用データの記録されたセッションの外側に記録可能であるディスク構造を持って追記可能領域が配置される。
なお、第１セッションの第１トラックに前記アプリケーションプログラム、第２トラックに再生用データが記録されていても良い。また、オリジナル判定のための特定領域はマスタリング時において、再生用セッションの後の最終セッションでも良いが、アプリケーションプログラムよる前記特定領域アクセス時のアドレスが再生用データ容量に依存せず、固定である点から第２セッションが好ましい。
該オリジナル記録媒体のマスタリング後の状態はディスクがクローズしていないデータ構造となっている。具体的には、各セッションのリードインエリアのサブコードＱフレームはマルチセッションを示すＰＯＩＮＴ＝Ｂ０として記録されている。
また、最終セッションのリードインエリアに記録される「Start time of next possible program in the Recordable Area（次にデータ記録可能な開始時間）」に追記可能領域における追記セッションのプログラムエリアのStart timeが記録され、この値は「Maximum start time of outer most Lead-out Area（最も外側にLead Outを記録する場合の記録開始時間）」より小さい値に設定されている。
また、オリジナル判定用の特定領域のセッションはリードインエリア、リードアウトエリア、及びプログラムエリアの先頭部分に有るファイル情報を除いて未記録状態、即ちプリピットではなく、グルーブの状態になっている。
このようなデータ構造のオリジナル記録媒体１ｏの物理的構造例について説明する。本実施の形態のオリジナル記録媒体１ｏは、アプリケーションプログラム、再生用データが記録されている再生専用としてのＲＯＭ領域構造と追記が可能な記録可能領域構造、及びオリジナル判定のための特定領域である、記録動作は可能であるが記録品質が悪く再生不可能な領域構造とから作製されている。
【００１２】
まず、真贋判定アプリケーションプログラム、再生用データが各々第１、第３セッションに各々マスタリングによるプリピットにより基板に形成されている。また、第３セッションの外側は追記可能領域であり、マスタリングによるプリグルーブが形成されている。オリジナル判定のための特定領域である第２セッションは追記可能領域と同様に基板上にプリグルーブが形成されるが、追記可能領域のグルーブ深さよりも浅いかあるいは深く設定される。
このオリジナル判定のための特定領域の第２セッションの深さはグルーブ上に記録層、反射層が設けられてディスク構成となった時の記録信号品質が悪く、再生不可となると同時にサーボに関係するグルーブ反射率、プッシュプル、ラジアルコントラストの各信号がオレンジブック規格内となるような値に設定される。具体的にはＣＤ−Ｒの場合には、１３００〜１４００Ａ、１７５０〜１８５０Ａである。
これらの全てのプリピット及びプリグルーブは、ＡＴＩＰ情報を含ませるために変調されたウォブリングを持っている。これらのウォブリングされたプリピット及びプリグルーブが形成された透明樹脂基板上にはＣＤ−Ｒの場合はシアニン系、フタロシアニン系、アゾ系等の有機色素をスピナー塗布で設け、その上に金、銀等の反射層をスパッタリングで設けられる。
ＣＤ−ＲＷの場合は基板上に無機酸化物からなる下部誘電体層、記録層としての相変化材料、無機酸化物からなる上部誘電体層、アルミニウム、銀等からなる反射層が順次スパッタリングにより設けられる。更に反射層の上には保護膜が設けられている。
このようなオリジナル記録媒体１ｏがＣＤ−ＲやＣＤ−ＲＷを利用して不正にコピーされた場合、そのコピー媒体１ｃにおいて、真贋判定アプリケーションプログラム、マスタリングされた再生用データ、追記された再生用データがコピーされることとなる。
このような構成において、オリジナル記録媒体１ｏまたはコピー媒体１ｃが光ディスク装置２１にマウントされると、図３に示すようにその第１セッションに記録されている真贋判定アプリケーションプログラムが起動し（Ｓ１）、ホスト機２２の主制御装置２４に真贋判定アプリケーションプログラムによる光ディスクの真贋判定処理（オリジナルかコピーかの判定処理）を実行させ（Ｓ２）、その真贋判定結果に応じた処理を実行する（Ｓ３）。
【００１３】
ここで、真贋判定アプリケーションプログラムによる光ディスクの真贋判定処理例を図４に示す概略フローチャートを参照して説明する。まず、Ｓ１１で第２セッションのオリジナル判定用の特定領域にアクセスする。Ｓ１２で前記特定領域が未記録状態か否かをＲＦ信号の有無により確認し、未記録状態で有ればＳ１３で該特定領域を適当なデータで書き込み動作を行う。
Ｓ１４で該特定領域の読み込みを行い、Ｓ１５で再生エラーが発生するか否か判定する。オリジナル記録媒体は前記特定領域が再生不可となる記録信号品質となるような物理的ディスク構成となっているので、再生エラーとなり、メインルーチンへ戻って再生用データの再生が可能となる処理がされる。
コピー媒体の場合、前記特定領域は正常に記録されるので、再生エラーは発生せず、Ｓ１６で再生不可のメッセージを出し、Ｓ１７で確認ボタンを押した後にメインルーチンに戻り、再生不可の処理がされる。Ｓ１２で前記特定領域が未記録状態ではなく、記録されていた場合はＳ１４に行き、読み込みを行う。Ｓ１２で未記録状態のチェックを行うことにより、コピー媒体のオリジナル判定用の特定領域における重ね書きを防ぎ、オリジナル媒体とコピー媒体の前記特定領域が同等に物理的に書き込み動作後の再生不可となることを防いでいる。
オリジナル判定のための特定領域が未記録状態であるか否か検知できるコマンドを真贋判定アプリケーションプログラムが発行できるためには光ディスク装置２１に未記録状態のチェックをするその機能が有る必要があり、具体的にはＲＦ信号の有無を確認し、ホスト機２２側にその状態を知らせるためのファームウエアが必要である。
【実施例１】
【００１４】
基板の表面上に、真贋判定アプリケーションプログラムをプログラムエリアとする第１セッションが、ＴＯＣ及びリードアウトまで（半径約２６ｍｍまで）深さ３０３０Ａ、巾０．６μｍ、トラックピッチ１．６μｍのピット及び、該ピットを繋ぐ深さ１５５０Ａ、巾０．４μｍのピット間グルーブを設けた。
その外側にオリジナル判定のための特定領域である第２セッションとして、深さ１７８０Ａ、巾０．７μｍ、トラックピッチ１．６μｍの案内溝を有する領域を設け、その外側に再生用データプログラムエリアとする第３セッションとして深さ１５５０Ａ、巾０．７μｍのグルーブを設けた基板を用意した。各ピット、ピット間グルーブ、グルーブはＡＴＩＰ情報を有するウォブリング構造を持っている。
この基板上にフタロシアニン色素を主体とする光吸収層をエチルシクロヘキサンからなる混合溶媒を塗布液としてスピンコートすることにより設けた。光吸収層塗布後、１００℃、３０分で熱処理後、スパッタ法によりＡｇを約１４００Ａの厚さに設け反射層とした。その上に紫外線硬化樹脂をスピナーにより塗布し、紫外線で硬化させ約５μｍの保護層を設けて、ＣＤ−Ｒ光記録媒体を得た。
前記媒体を７８０Ａのピックアップを有する記録再生装置でオリジナル判定用の第２セッションにおける特定領域及び追記可能領域における第３セッションを再生したところ、特定領域は、反射率：６１％、プッシュプル：０．１７９、ラジアルコントラスト：０．１７０であった。また、追記可能領域は、反射率：６９％、プッシュプル：０．１６５、ラジアルコントラスト：０．１４０であった。各領域共ラジアルコントラストはオレンジブックを満足した（反射率、プッシュプルは規定なし、ラジアルコントラスト＞０．０５）。
次に前記オリジナル判定のための特定領域を最適記録パワーで３２倍速で記録し、再生したところ、ジッターは５０ｎｓであり、訂正不能エラーが出て正常再生ができなかった。追記領域を同様に記録した場合のジッターは２７ｎｓであり、良好な信号品質であった。前記媒体を、未記録状態検知可能ファームウエアを持つ光ディスクドライブにマウントし、一連の真贋判定処理を行ったところ、図４のフローに従った結果が得られた。
【実施例２】
【００１５】
基板の表面上に、真贋判定アプリケーションプログラムをプログラムエリアとする第１セッションが、ＴＯＣ及びリードアウトまで（半径約２６ｍｍまで）深さ３０３０Ａ、巾０．６μｍ、トラックピッチ１．６μｍのピット及び、該ピットを繋ぐ深さ１５５０Ａ、巾０．４μｍのピット間グルーブを設けた。
その外側にオリジナル判定のための特定領域である第２セッションとして、深さ１３９０Ａ、巾０．７μｍ、トラックピッチ１．６μｍの案内溝を有する領域を設け、その外側に再生用データプログラムエリアとする第３セッションとして深さ１５５０Ａ、巾０．７μｍのグルーブを設けた基板を用意した。各ピット、ピット間グルーブ、グルーブはＡＴＩＰ情報を有するウォブリング構造持っている。この基板上に実施例１と同様に各層を設けて、ＣＤ−Ｒ光記録媒体を得た。
前記媒体を７８０Ａのピックアップを有する記録再生装置でオリジナル判定用の第２セッションの特定領域及び追記可能領域の第３セッションを再生したところ、特定領域は、反射率：７２％、プッシュプル：０．１２６、ラジアルコントラスト：０．０８であった。また、追記可能領域は、反射率：６９％、プッシュプル：０．１６２、ラジアルコントラスト：０．１４２であった。各領域共ラジアルコントラストはオレンジブックを満足した（反射率、プッシュプルは規定なし、ラジアルコントラスト＞０．０５）。
次に前記オリジナル判定のための特定領域を最適記録パワーで３２倍速で記録し、再生したところ、ジッターは５２ｎｓであり、訂正不能エラーが出て正常再生ができなかった。追記領域を同様に記録した場合のジッターは２６ｎｓであり、良好な信号品質であった。前記媒体を、未記録状態検知可能ファームウエアを持つ光ディスクドライブにマウントし、一連の真贋判定処理を行ったところ、実施例１と同様に図４のフローに従った結果が得られた。
【図面の簡単な説明】
【００１６】
【図１】本発明の実施の形態に係る記録再生装置である光ディスク装置（ドライブ）の構成図。
【図２】光ディスク装置と接続されるホスト機の構成図。
【図３】本発明の動作を示すフローチャート。
【図４】本発明の動作を示すフローチャート。
【符号の説明】
【００１７】
１  光ディスク（記録媒体）
２１  光ディスク装置（記録再生装置）
２２  ホスト機
２３  記録再生システム
【図１】
2005196925.tif 000003
【図２】
2005196925.tif 000004
【図３】
2005196925.tif 000005
【図４】
2005196925.tif 000006